(57)【特許請求の範囲】
【請求項１】
ユーザーデバイスがネットワークデバイスにより送信された構成情報を受信することと、
前記ユーザーデバイスが、接続状態にある場合、測定セットを利用して同期信号を測定することとを含み、
前記構成情報は、前記ユーザーデバイスが前記測定セットを利用して同期信号を測定するように指示し、
前記測定セットは、接続状態にあるユーザーデバイスが同期信号を測定するために用いられ、前記測定セットは、第１の同期信号ブロック（ＳＳ Ｂｌｏｃｋ）セットであり、前記第１のＳＳ Ｂｌｏｃｋセットに含まれるＳＳ Ｂｌｏｃｋの数が前記第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含み、又は、前記測定セットは信号セットであり、前記信号セットはＹ個のＳＳ Ｂｌｏｃｋ内の一部の信号を含み、前記Ｙは正の整数であり、
前記測定セットが前記第１のＳＳ Ｂｌｏｃｋセットである場合、前記構成情報は、ＳＳ Ｂｌｏｃｋの測定周期、時間オフセット、及び第１の指示情報のうちの少なくとも１つを含み、前記第１の指示情報は、前記ユーザーデバイスが各ＳＳ Ｂｌｏｃｋ周期において前記第２のＳＳ Ｂｌｏｃｋセット内のＮ個の指定ＳＳ Ｂｌｏｃｋを利用して同期信号を測定するように指示し、前記Ｎは正の整数であり、
前記構成情報は第３の指示情報をさらに含み、前記第３の指示情報は、前記ユーザーデバイスがＷ個の指定セルに対して同期信号を測定するように指定し、前記指定セルは第１のセル及び／又は第２のセルを含み、前記第１のセルは前記ユーザーデバイスがあるセルであり、前記第２のセルは非前記ユーザーデバイスがあるセルであり、前記Ｗは正の整数である
ことを特徴とする同期信号の測定方法。
【請求項２】
前記測定セットが前記第１のＳＳ Ｂｌｏｃｋセットである場合、前記構成情報は、ＳＳ Ｂｌｏｃｋ内の信号の測定周期、時間オフセット、及び第２の指示情報のうちの少なくとも１つを含み、前記第２の指示情報は、前記ユーザーデバイスが各ＳＳ Ｂｌｏｃｋ周期において前記第２のＳＳ Ｂｌｏｃｋセット内のＭ個の指定ＳＳ Ｂｌｏｃｋ内のＫ個の指定信号を利用して同期信号を測定するために用いられ、前記Ｍと前記Ｋは正の整数である
ことを特徴とする請求項１に記載の同期信号の測定方法。
【請求項３】
前記指定セルは前記第２のセルを含む場合、前記構成情報は、さらに、前記第２のセルのセルＩＤ、前記第２のセルのＳＳ Ｂｌｏｃｋの所在の周波数位置、前記第２のセルと前記第１のセルとの時間オフセット、前記第２のセルのＳＳ Ｂｌｏｃｋの周期、前記第２のセルのＳＳ Ｂｌｏｃｋの構成情報のうちの少なくとも１つを含む
ことを特徴とする請求項１に記載の同期信号の測定方法。
【請求項４】
前記測定セットは信号セットである場合、前記構成情報は、前記信号セットの構成、前記信号セット内の信号が使用するリソース、指定セルの構成情報のうちの少なくとも１つを含み、前記リソースは、時間リソース、周波数リソース、コードドメインリソースのうちの少なくとも１つを含み、前記指定セルは第１のセル及び／又は第２のセルを含み、前記第１のセルは前記ユーザーデバイスがあるセルであり、前記第２のセルは非前記ユーザーデバイスがあるセルである
ことを特徴とする請求項１に記載の同期信号の測定方法。
【請求項５】
前記信号セットは第１の信号及び第２の信号を含み、前記第１の信号と前記第２の信号とは、前記信号セット内の任意の２つの信号であり、前記第１の信号及び前記第２の信号は、異なるセルからの信号である場合、前記第１の信号に対応するリソースと前記第２の信号に対応するリソースとが異なり、前記リソースは、時間リソース、周波数リソース、コードドメインリソースのうちの少なくとも１つを含む
ことを特徴とする請求項１又は４に記載の同期信号の測定方法。
【請求項６】
ネットワークデバイスにより送信された構成情報を受信するように構成される受信モジュールと、
ユーザーデバイスが接続状態にある場合、測定セットを利用して同期信号を測定するように構成される処理モジュールとを含み、
前記構成情報は、前記ユーザーデバイスが測定セットを利用して同期信号を測定するように指示し、
前記測定セットは、接続状態にあるユーザーデバイスが同期信号を測定するために用いられ、前記測定セットは、第１の同期信号ブロック（ＳＳ Ｂｌｏｃｋ）セットであり、前記第１のＳＳ Ｂｌｏｃｋセットに含まれるＳＳ Ｂｌｏｃｋの数が前記第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含み、又は、前記測定セットは信号セットであり、前記信号セットはＹ個のＳＳ Ｂｌｏｃｋ内の一部の信号を含み、前記Ｙは正の整数であり、
前記測定セットが前記第１のＳＳ Ｂｌｏｃｋセットである場合、前記構成情報は、ＳＳ Ｂｌｏｃｋの測定周期、時間オフセット、及び第１の指示情報のうちの少なくとも１つを含み、前記第１の指示情報は、前記ユーザーデバイスが各ＳＳ Ｂｌｏｃｋ周期において前記第２のＳＳ Ｂｌｏｃｋセット内のＮ個の指定ＳＳ Ｂｌｏｃｋを利用して同期信号を測定するように指示し、前記Ｎは正の整数であり、
前記構成情報は第３の指示情報をさらに含み、前記第３の指示情報は、前記ユーザーデバイスがＷ個の指定セルに対して同期信号を測定するように指定し、前記指定セルは第１のセル及び／又は第２のセルを含み、前記第１のセルは前記ユーザーデバイスがあるセルであり、前記第２のセルは非前記ユーザーデバイスがあるセルであり、前記Ｗは正の整数である
ことを特徴とするユーザーデバイス。
【請求項７】
前記第２のＳＳ Ｂｌｏｃｋセットは、ユーザーデバイスがアイドル状態で初期アクセスを行う時のＳＳ Ｂｌｏｃｋセットであり、前記第２のＳＳ Ｂｌｏｃｋセットは、前記第１のＳＳ Ｂｌｏｃｋセットを含む
ことを特徴とする請求項６に記載のユーザーデバイス。
【請求項８】
前記信号セットは、前記ネットワークデバイスが接続状態でのユーザーデバイスに送信する、同期信号を測定するための信号セットである
ことを特徴とする請求項６又は７に記載のユーザーデバイス。
【請求項９】
前記測定セットが前記第１のＳＳ Ｂｌｏｃｋセットである場合、前記構成情報は、ＳＳ Ｂｌｏｃｋ内の信号の測定周期、時間オフセット、及び第２の指示情報のうちの少なくとも１つを含み、前記第２の指示情報は、前記ユーザーデバイスが各ＳＳ Ｂｌｏｃｋ周期において前記第２のＳＳ Ｂｌｏｃｋセット内のＭ個の指定ＳＳ Ｂｌｏｃｋ内のＫ個の指定信号を利用して同期信号を測定するために用いられ、前記Ｍと前記Ｋは正の整数である
ことを特徴とする請求項６〜８のいずれか１項に記載のユーザーデバイス。
【請求項１０】
前記指定セルは前記第２のセルを含む場合、前記構成情報は、さらに、前記第２のセルのセルＩＤ、前記第２のセルのＳＳ Ｂｌｏｃｋの所在の周波数位置、前記第２のセルと前記第１のセルとの時間オフセット、前記第２のセルのＳＳ Ｂｌｏｃｋの周期、前記第２のセルのＳＳ Ｂｌｏｃｋの構成情報のうちの少なくとも１つを含む
ことを特徴とする請求項６に記載のユーザーデバイス。
【請求項１１】
前記測定セットは信号セットである場合、前記構成情報は、前記信号セットの構成、前記信号セット内の信号が使用するリソース、指定セルの構成情報のうちの少なくとも１つを含み、前記リソースは、時間リソース、周波数リソース、コードドメインリソースのうちの少なくとも１つを含み、前記指定セルは第１のセル及び／又は第２のセルを含み、前記第１のセルは前記ユーザーデバイスがあるセルであり、前記第２のセルは非前記ユーザーデバイスがあるセルである
ことを特徴とする請求項６〜８のいずれか１項に記載のユーザーデバイス。
【発明の詳細な説明】
【技術分野】
【０００１】
本願は、通信技術分野に関し、特に、同期信号の測定方法及び関連デバイスに関する。
【背景技術】
【０００２】
同期信号は、情報の同期処理を必要とする設備機器に同じ時間基準を与える信号である。Ｎｅｗ Ｒａｔｉｏ／５ＧのＭｕｌｔｉ−ｂｅａｍシステムは、異なるビームによってセル全体をカバーする。各ｂｅａmは、１つの同期信号ブロック( ＳＳ Ｂｌｏｃｋ )に対応し、ＳＳ Ｂｌｏｃｋは、少なくとも主同期信号(Ｐｒｉｍａｒｙ Ｓｙｎｃｈｒｏｎｉｚａｔｉｏｎ Ｓｉｇｎａｌ：ＰＳＳ)、サブ同期信号(Ｓｅｃｏｎｄａｒｙ Ｓｙｎｃｈｒｏｎｉｚａｔｉｏｎ Ｓｉｇｎａｌ：ＳＳＳ )、および物理放送チャネル(Ｐｈｙｓｉｃａｌ Ｂｒｏａｄｃａｓｔ Ｃｈａｎｎｅｌ：ＰＢＣＨ)を含む。
【０００３】
ロングタームインデュースメント技術(Ｌｏｎｇ Ｔｅｒｍ Ｅｖｏｌｕｔｉｏｎ：ＬＴＥ )システムでは、モビリティ管理の測定は、セル参照信号( ｃｅｌｌ ｓｐｅｃｉｆｉｃ ＲＳ：ＣＲＳ )を主とし、異なるセルのＣＲＳの信号強度を測定することによって基地局のモビリティ管理を支援する。ＮＲ／５Ｇシステムでは、モビリティ管理の測定は、ＳＳ Ｂｌｏｃｋを主とする。ＳＳ Ｂｌｏｃｋの設計は、端末が初期ｃｅｌｌ ｓｅａｒｃｈ (セルサーチ)を行うために、ＰＳＳ / ＳＳＳがｃｅｌｌ ＩＤを提供し、ＰＢＣＨがセルに関する重要なシステム情報を提供する必要がある。ユーザーデバイスがアイドル状態(ｉｄｌｅ ｍｏｄｅ)にあるとき、モビリティ管理を測定する端末は、通常、全てのＳＳ Ｂｌｏｃｋを測定する必要がある。ユーザーデバイスが接続状態( ｃｏｎｎｅｃｔｅｄ ｍｏｄｅ )にある場合、モビリティ管理の測定は、ユーザーデバイスがアイドル状態にある場合の測定メカニズムを流用し、端末リソースの不必要な浪費を引き起こす可能性がある。したがって、ユーザーデバイスが接続状態にある時に、モビリティ管理をどのように測定するかは、解決すべき技術的課題である。
【発明の概要】
【０００４】
本願の実施例は、ユーザーデバイスが接続状態にある時にモビリティ管理を測定してユーザーデバイスの同期信号の測定性能を改善することができる同期信号の測定方法及び関連デバイスを提供する。
【０００５】
第１の形態として、本願の実施例は同期信号の測定方法を提供し、
ネットワークデバイスが構成情報を生成することと、前記ネットワークデバイスがユーザーデバイスに前記構成情報を送信することとを含み、前記構成情報は、前記ユーザーデバイスが測定セットを利用して同期信号を測定するように指示し、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数である。
【０００６】
第２の形態として、本願の実施例は、同期信号の測定方法を提供し、
ユーザーデバイスがネットワークデバイスにより送信された構成情報を受信することと、前記ユーザーデバイスが、接続状態にある場合、測定セットを利用して同期信号を測定することとを含み、前記構成情報は、前記ユーザーデバイスが測定セットを利用して同期信号を測定するように指示し、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数である。
【０００７】
第３の形態として、本願の実施例は、ネットワークデバイスを提供し、
構成情報を生成するように構成される処理モジュールと、
ユーザーデバイスに前記構成情報を送信するように構成される送信モジュールとを含み、前記構成情報は、前記ユーザーデバイスが測定セットを利用して同期信号を測定するように指示し、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセット含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数である。
【０００８】
第４の形態として、本願の実施例は、ユーザーデバイスを提供し、
ネットワークデバイスにより送信された構成情報を受信するように構成される受信モジュールと、ユーザーデバイスが接続状態にある場合、測定セットを利用して同期信号を測定するように構成される処理モジュールとを含み、前記構成情報は、前記ユーザーデバイスが測定セットを利用して同期信号を測定するように指示し、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数である。
【０００９】
第５の形態として、本願の実施例は、ネットワークデバイスを提供し、プロセッサー、メモリ、送受信機及び通信バスを含み、
前記プロセッサーは、前記通信バスを介して前記メモリ及び前記送受信機に接続して通信を行い、
前記メモリは、実行可能プログラム命令を記憶し、前記プロセッサーは、前記メモリに記憶された実行可能プログラム命令を呼び出して、本願の実施例第１の形態の方法を実行する。
【００１０】
第６の形態として、本願の実施例は、ユーザーデバイスを提供し、プロセッサー、メモリ、送受信機及び通信バスを含み、
前記プロセッサーは、前記通信バスを介して前記メモリ及び前記送受信機に接続して通信を行い、
前記メモリは実行可能プログラム命令を記憶し、前記プロセッサーは、前記メモリに記憶された実行可能プログラム命令を呼び出して、本願の実施例第２の形態の方法を実行する。
【００１１】
第７の形態として、コンピューター記憶媒体を提供し、本願の実施例の第５の形態に提供されるネットワークデバイスが使用するコンピューターソフトウェア命令を記憶し、本願の実施例第１の形態を実行するためのプログラムを含む。
【００１２】
第８の形態として、コンピューター記憶媒体を提供し、本願の実施例の第６の形態に提供されるユーザーデバイスが使用するコンピューターソフトウェア命令を記憶し、本願の実施例第２の形態を実行するためのプログラムを含む。
【００１３】
第９の形態として、本願の実施例は通信システムを提供し、当該通信システムは、本願の実施例における第３の形態に記載のネットワークデバイス及び本願の実施例における第４の形態に記載のユーザーデバイスを含む。
【００１４】
この技術案では、ユーザーデバイスが接続状態にある測定メカニズムは、ネットワークデバイスにより構成された構成情報に基づいて同期信号を測定し、ユーザーデバイスがアイドル状態にある測定メカニズムよりも柔軟性を有する。さらに、ユーザーデバイスの測定メカニズムは、測定セット基づいて同期信号を測定し、測定セットは第１のＳＳ Ｂｌｏｃｋセットであり、第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、第２のＳＳ Ｂｌｏｃｋセットは、ユーザーデバイスのアイドル状態で同期信号の測定に使用する全てのＳＳ Ｂｌｏｃｋを含み、又は、測定セットは信号セットであり、信号セットは、Ｙ個のＳＳ Ｂｌｏｃｋ内の一部の信号を含み、ユーザーデバイスのアイドル状態での測定の流用よりも、本願の技術案の測定時間が短くなり、ユーザーデバイスの同期信号の測定性能を改善することができる。
【００１５】
本出願のこれらの態様または他の態様は、以下の実施例の説明においてより容易に理解されるであろう
【図面の簡単な説明】
【００１６】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例におけるネットワーク構成の模式図である。
【図２ａ】本願の実施例における同期信号の測定方法のフローチャートである。
【図２ｂ】本願の実施例における第２のＳＳ Ｂｌｏｃｋセットの模式図である。
【図２ｃ】本願の実施例における第１のＳＳ Ｂｌｏｃｋセットの模式図である。
【図２ｄ】本願の実施例におけるＳＳ Ｂｌｏｃｋの方式の模式図である。
【図２ｅ】本願の実施例における信号セットの模式図である。
【図２ｆ】本願の実施例における他の信号セットの模式図である。
【図２ｇ】本願の実施例における他のＳＳ Ｂｌｏｃｋの方式の模式図である。
【図２ｈ】本願の実施例における他の第１のＳＳ Ｂｌｏｃｋセットの模式図である。
【図２ｉ】本願の実施例における他の第１のＳＳ Ｂｌｏｃｋセットの模式図である。
【図３】本願の実施例におけるネットワークデバイス構成の模式図である。
【図４】本願の実施例におけるユーザーデバイス構成の模式図である。
【図５】本願の実施例における他のネットワークデバイス構成の模式図である。
【図６】本願の実施例における他のユーザーデバイス構成の模式図である。
【発明を実施するための形態】
【００１７】
本出願の実施例を当業者により良く理解するために、以下に、本出願の実施例における技術的解決策を、本出願の実施例における図面との関連で、明確かつ完全に説明するが、記載される実施例は、本出願の一部の実施例にすぎず、全ての実施例ではないことを理解されたい。本出願における実施例に基づいて、当業者が創造的な労働をすることなく得られる全ての他の実施例は、本出願の保護範囲に属するものとする。
【００１８】
以下、それぞれについて詳細に説明する。
【００１９】
本出願の明細書及び特許請求の範囲、並びに添付図面における用語「第１」、「第２」、「第３」、及び「第４」などは、異なる対象を区別するために使用され、特定の順序を説明するために使用されない。さらに、「含む」及び「有する」という用語、並びにそれらの任意の変形は、排他的な包含を含まないことが意図される。例えば、一連のステップまたはユニットを含むプロセス、方法、システム、製品または装置は、記載されたステップまたはユニットに限定されず、記載されていないステップまたはユニットを任意に含むこと、または、そのようなプロセス、方法、製品または装置に固有の他のステップまたはユニットを任意に含むこともできる。
【００２０】
本明細書における「実施例」への言及は、実施例に関連して説明される特定の特徴、構造、または特性が、本開示の少なくとも１つの実施例に含まれ得ることを意味する。本明細書の様々な箇所でのこの語句の出現は、必ずしも全てが同じ実施例を指すものではなく、他の実施例と排他的である別個の又は代替の実施例でもない。当業者は、明示的及び暗黙的に、本明細書に記載の実施例を他の実施例と組み合わせることができることを理解する。
【００２１】
以下、本発明の実施の形態を図面に基づいて説明する。
【００２２】
図１は、本願の実施例に開示されたネットワーク構成の模式図である。図１に示すネットワーク構成は、ネットワークデバイス１１０と、ユーザーデバイス１２０とを含む。ネットワークデバイス１１０は、ネットワークデバイス１１０によってユーザーデバイス１２０に対して構成された構成情報をユーザーデバイス１２０に送信し、ユーザーデバイス１２０は、ネットワークデバイス１１０によって送信された構成情報を受信した後、ユーザーデバイス１２０が接続状態にあるとき、ユーザーデバイス１２０は、ネットワークデバイスからの構成情報に基づいて同期信号を測定し、本願の技術案は、ユーザーデバイス１２０がアイドル状態にあるときの測定メカニズムを流用するよりも柔軟性を有する。また、構成情報は、ユーザーデバイス１２０が測定セットを用いて同期信号を測定することを示すために使用され、ここで、測定セットは、第１のＳＳ Ｂｌｏｃｋセットであり、第１のＳＳ Ｂｌｏｃｋセットに含まれるＳＳ Ｂｌｏｃｋの数は、第２のＳＳ Ｂｌｏｃｋセットよりも少ない、第２のＳＳ Ｂｌｏｃｋセットは、ユーザーデバイスがアイドル状態で同期信号を測定するために使用されるＳＳ Ｂｌｏｃｋを含み、又は、測定セットは信号セットであり、信号セットは、Ｙ個のＳＳ Ｂｌｏｃｋ内の一部の信号を含み、ユーザーデバイスのアイドル状態での測定の流用よりも、本願の技術案の測定時間が短くなり、ユーザーデバイスの同期信号の測定性能を改善することができる。
【００２３】
ここで、ユーザーデバイス( Ｕｓｅｒ  Ｅｑｕｉｐｍｅｎｔ)は、ユーザーに音声及び/又はデータの連絡を提供する装置であり、例えば、無線接続機能を有するハンドヘルド装置、車載装置などである。一般的な端末には、例えば、携帯電話、タブレット、ラップトップ、パームトップ、モバイルインターネット機器(ｍｏｂｉｌｅ ｉｎｔｅｒｎｅｔ ｄｅｖｉｃｅ：ＭＩＤ)、ウェアラブル機器、例えば、スマートウォッチ、スマートハンドリング、歩数計などが含まれる。
【００２４】
ここで、ネットワークデバイスは、ネットワーク側のノードデバイスを指し、例えばネットワニスークデバイスは、セルラネットワークにおけるアクセスネットワーク側の無線アクセスネットワーク( Ｒａｄｉｏ Ａｃｃｅｓｓ Ｎｅｔｗｏｒｋ：ＲＡＮ )デバイスであってもよく、いわゆるＲＡＮデバイスは、端末を無線ネットワークにアクセスするためのデバイスであって、進化型ノードＢ ( ｅｖｏｌｖｅｄ Ｎｏｄｅ Ｂ、ｅＮＢ )、無線ネットワークコントローラ( ｒａｄｉｏ ｎｅｔｗｏｒｋ ｃｏｎｔｒｏｌｌｅｒ：ＲＮＣ )、ノードＢ ( Ｎｏｄｅ Ｂ )、基地局コントローラ( Ｂａｓｅ Ｓｔａｔｉｏｎ Ｃｏｎｔｒｏｌｌｅｒ：ＢＳＣ )、基地局送受信機( Ｂａｓｅ Ｔｒａｎｓｃｅｉｖｅｒ Ｓｔａｔｉｏｎ：ＢＴＳ )、ホーム基地局(例えば、Ｈｏｍｅ ｅｖｏｌｖｅｄ ＮｏｄｅＢ、又はＨｏｍｅ Ｎｏｄｅ Ｂ、ＨＮＢ )、ベースバンドユニット( ＢａｓｅＢａｎｄ Ｕｎｉｔ、ＢＢＵ )、更にネットワニスークデバイスは、無線ローカルエリアネットワーク( Ｗｉｒｅｌｅｓｓ Ｌｏｃａｌ Ａｒｅａ Ｎｅｔｗｏｒｋ、ＷＬＡＮ )におけるノードデバイス、例えばアクセスコントローラ( ａｃｃｅｓｓ ｃｏｎｔｒｏｌｌｅｒ、ＡＣ )、ゲートウェイ、又はＷＩＦＩアクセスポイント( Ａｃｃｅｓｓ Ｐｏｉｎｔ、ＡＰ )等を含むが、これらに限定されない。
【００２５】
以下、図１に示すネットワーク構成を参照し、本願の実施例における同期信号の測定方法を説明する。
【００２６】
図２ａに示すように、図２ａは、本願の実施例における同期信号の測定方法のフローチャートであり、以下のステップを含む。
【００２７】
ステップＳ２０１において、ネットワークデバイスが構成情報を生成する。
【００２８】
ステップＳ２０２において、前記ネットワークデバイスがユーザーデバイスに前記構成情報を送信し、前記構成情報は、前記ユーザーデバイスが測定セットを利用して同期信号を測定するように指示し、ここで、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含み、又は、前記測定セットは信号セットであり、前記信号セットはＹ個のＳＳ Ｂｌｏｃｋ内の一部の信号を含み、前記Ｙは正の整数である。
【００２９】
ある実施例において、信号セットに含まれる信号の数は、第２のＳＳ Ｂｌｏｃｋセットに含まれる信号より少ない。
【００３０】
具体的には、１つのシステムが４つのビームを含み、周期１０ｍｓ内に４つのビームで４つのＳＳ Ｂｌｏｃｋが送信され、各ビームが互いに異なるＳＳ Ｂｌｏｃｋに対応し、４つのＳＳ ＢｌｏｃｋがＳＳ Ｂｌｏｃｋ＃１、ＳＳ Ｂｌｏｃｋ＃２、ＳＳ Ｂｌｏｃｋ＃３、ＳＳ Ｂｌｏｃｋ＃４であるとすると、周期１０ｍｓ内に４つのＳＳ ＢｌｏｃｋがＳＳ ｂｕｒｓｔ ｓｅｔに組み合わされる。ユーザーデバイスがアイドル状態にある測定メカニズムは、通常、ユーザーデバイスがアイドル状態で初期アクセスを行ったときにユーザーデバイスが全ての検出可能なＳＳ Ｂｌｏｃｋである。したがって、第２のＳＳ Ｂｌｏｃｋセットは、図２ｂに示され得るものであり、図２ｂから分かるように、第２のＳＳ Ｂｌｏｃｋセットは、１０ｍｓごとにＳＳ ｂｕｒｓｔ ｓｅｔの複数のＳＳ ｂｕｒｓｔ ｓｅｔからなり、ＳＳ ｂｕｒｓｔ ｓｅｔごとに含まれる４つのＳＳ Ｂｌｏｃｋは、すべて同じである。なお、図２ｂに示す周期１０ｍｓ内における４つのＳＳ Ｂｌｏｃｋの配列は、可能な配列の１つに過ぎず、本願発明は限定されない。
【００３１】
第１のＳＳ Ｂｌｏｃｋセットは、第２のＳＳ Ｂｌｏｃｋセットに含まれるＳＳ Ｂｌｏｃｋ個よりも少ない数のＳＳ Ｂｌｏｃｋを含む。第１のＳＳ Ｂｌｏｃｋセットは、図２ｃに示されるように、２０ｍｓごとにＳＳ ｂｕｒｓｔ ｓｅｔの複数のＳＳ ｂｕｒｓｔ ｓｅｔから構成されてもよく、ＳＳ ｂｕｒｓｔ ｓｅｔごとに４つのＳＳ Ｂｌｏｃｋが同じものを含む。
【００３２】
具体的には、ＳＳ Ｂｌｏｃｋの４つの可能な形態が図２ｄに示されている。図２ｄに示されるように、ＳＳ Ｂｌｏｃｋは、ＰＳＳ、ＳＳＳおよびＰＢＣＨを含んでよく、またはＳＳ Ｂｌｏｃｋは、ＰＳＳ、２つのＳＳＳおよびＰＢＣＨを含んでよく、またはＳＳ Ｂｌｏｃｋは、ＰＳＳ、ＳＳＳを含んでよい。各周期１０ｍｓ内に４つのビームで４つのＳＳ Ｂｌｏｃｋが送信されるものとして、いずれもＰＳＳ、ＳＳＳとＰＢＣＨを含むと仮定する。測定セットは、Ｙ個のＳＳ Ｂｌｏｃｋの部分信号を含む信号セットであり、ＳＳ Ｂｌｏｃｋの一部の信号がＳＳＳのみを含むと仮定し、図２ｅから分かるように、信号セットは、異なるＳＳ Ｂｌｏｃｋからの(すなわち、異なるｂｅａｍからの) ＳＳＳがＴＤＭ方式で多重化されて形成され、例えば、ＳＳＳ１はＳＳ Ｂｌｏｃｋ ＃ １からのものであり、ＳＳＳ２はＳＳ Ｂｌｏｃｋ ＃ ２からのものである。また、ＳＳ Ｂｌｏｃｋの一部の信号がＳＳＳと一部のＰＢＣＨを含むと仮定すると、図２ｆから分かるように、信号セットは、図２ｆに示されるように、異なるＳＳ Ｂｌｏｃｋからの(すなわち、異なるｂｅａmからの) ＳＳＳとＰＢＣＨとがＴＤＭ方式で多重化されたもの、例えば、ＳＳＳ１がＳＳ Ｂｌｏｃｋ ＃ １からのものであり、ＳＳＳ２がＳＳ Ｂｌｏｃｋ ＃ ２からのものであり、ＰＢＣＨ２がＳＳ Ｂｌｏｃｋ ＃ ２からのものである。
【００３３】
また、図２ｇでは、表現を簡単にするために、異なるＳＳ Ｂｌｏｃｋを分離したブロックとして描いており、異なるＳＳ Ｂｌｏｃｋ信号が交差する場合の別の可能な形態を示しており、例えば、図２ｇは、異なるＳＳ Ｂｌｏｃｋ信号が交差する図である。図２ｆでは、図２ｂにおけるＳＳ Ｂｌｏｃｋ＃１、ＳＳ Ｂｌｏｃｋ＃２、ＳＳ Ｂｌｏｃｋ＃３の分離されたブロックにやはり示されている。
【００３４】
ある実施例において、前記第２のＳＳ Ｂｌｏｃｋセットは、ユーザーデバイスがアイドル状態で初期アクセスを行う時のＳＳ Ｂｌｏｃｋセットであり、前記第２のＳＳ Ｂｌｏｃｋセットは、前記第１のＳＳ Ｂｌｏｃｋセットを含む。
【００３５】
具体的には、第２のＳＳ Ｂｌｏｃｋセットは、第１のＳＳ Ｂｌｏｃｋセットを含み、すなわち、第１のＳＳ Ｂｌｏｃｋセットは、第２のＳＳ Ｂｌｏｃｋの１つのサブＳＳ Ｂｌｏｃｋセットである。具体的には、図２ｂ及び図２ｃを参照されたい。
【００３６】
ある実施例において、前記測定セットが前記第１のＳＳ Ｂｌｏｃｋセットである場合、前記構成情報は、１）ＳＳ Ｂｌｏｃｋの測定周期、２）時間オフセット、及び３）第１の指示情報のうちの少なくとも１つを含み、前記第１の指示情報は、前記ユーザーデバイスが各ＳＳ Ｂｌｏｃｋ周期において前記第２のＳＳ Ｂｌｏｃｋセット内のＮ個の指定ＳＳ Ｂｌｏｃｋを利用して同期信号を測定するように指示し、前記Ｎは正の整数である。
【００３７】
例えば、構成情報が上記の条件１ )、条件２ )、条件３ )を含む場合、第２のＳＳ Ｂｌｏｃｋセットは、図２ｂに示すように、ＳＳ Ｂｌｏｃｋの測定周期が２０ｍｓ、前記時間シフト量は２つの隣接するＳＳ Ｂｌｏｃｋ周期の測定信号の時間シフト量であり、オフセット量は１０ｍｓであり、ＳＳ Ｂｌｏｃｋ周期は１０ｍｓであり、１番目のＳＳ Ｂｌｏｃｋ周期は、第２のＳＳ Ｂｌｏｃｋセットの１番目のＳＳ Ｂｌｏｃｋ周期のＳＳ Ｂｌｏｃｋ ＃ １およびＳＳ Ｂｌｏｃｋ ＃ ２を用いて同期信号を測定し、２番目のＳＳ Ｂｌｏｃｋ周期は、第２のＳＳ Ｂｌｏｃｋセットの２番目のＳＳ Ｂｌｏｃｋ周期のＳＳ Ｂｌｏｃｋ ＃ ３およびＳＳ Ｂｌｏｃｋ ＃ ４を用いて同期信号を測定し、３番目のＳＳ Ｂｌｏｃｋ周期は、第２のＳＳ Ｂｌｏｃｋセットの３番目のＳＳ Ｂｌｏｃｋ周期のＳＳ Ｂｌｏｃｋ ＃ １およびＳＳ Ｂｌｏｃｋ ＃ ２を用いて同期信号を測定し、これを繰り返すと、構成情報に基づき、端末デバイスの第１のＳＳ Ｂｌｏｃｋセットとして、上記構成情報から、第１のＳＳ Ｂｌｏｃｋセットは、具体的には図２ｃに示されることがわかる。
【００３８】
また、前記第１の指示情報は、ｂｉｔｍａｐの形式で指示されてもよい。例えば、１番目のＳＳ Ｂｌｏｃｋ周期は、第２のＳＳ Ｂｌｏｃｋセットの１番目のＳＳ Ｂｌｏｃｋ周期においてＳＳ Ｂｌｏｃｋ＃１およびＳＳ Ｂｌｏｃｋ＃２を用いて同期信号を測定し、１番目のＳＳ Ｂｌｏｃｋ周期は、ｂｉｔｍａｐが１１００であり、２番目のＳＳ Ｂｌｏｃｋ周期は、第２のＳＳ Ｂｌｏｃｋセットの２番目のＳＳ Ｂｌｏｃｋ周期においてＳＳ Ｂｌｏｃｋ＃３およびＳＳ Ｂｌｏｃｋ＃４を用いて同期信号を測定し、２番目のＳＳ Ｂｌｏｃｋ周期は、ｂｉｔｍａｐが００１１であり、３番目のＳＳ Ｂｌｏｃｋ周期は、第２のＳＳ Ｂｌｏｃｋセットの３番目のＳＳ Ｂｌｏｃｋ周期おいてＳＳ Ｂｌｏｃｋ＃１およびＳＳ Ｂｌｏｃｋ＃２を用いて同期信号を測定し、３番目のＳＳ Ｂｌｏｃｋ周期は、ｂｉｔｍａｐが１１００である。
【００３９】
また、例えば、構成情報が、上記条件１ )、２ )、３ )を含み、第２のＳＳ Ｂｌｏｃｋセットが、図２ｂに示すように、ＳＳ Ｂｌｏｃｋの測定周期が３０ｍｓ、前記時刻オフセットが隣接する２つの ＳＳ Ｂｌｏｃｋ周期の測定信号の時刻オフセット、前記オフセット量が１０ｍｓであり、１の番目のＳＳ Ｂｌｏｃｋ周期が、第２のＳＳ Ｂｌｏｃｋセットの１の番目のＳＳ Ｂｌｏｃｋ周期のＳＳ Ｂｌｏｃｋ＃１を利用して同期信号を測定し、２の番目のＳＳ Ｂｌｏｃｋ周期目が、第２のＳＳ Ｂｌｏｃｋセットの２の番目のＳＳ Ｂｌｏｃｋ周期のＳＳ Ｂｌｏｃｋ＃２及びＳＳ Ｂｌｏｃｋ＃３を利用して同期信号を測定し、３の番目のＳＳ Ｂｌｏｃｋ周期が、第２のＳＳ Ｂｌｏｃｋセット番の３の番目のＳＳ Ｂｌｏｃｋ周期目のＳＳ Ｂｌｏｃｋ＃４を利用して同期信号を測定し、４番目の ＳＳ Ｂｌｏｃｋ周期目が、第２のＳＳ Ｂｌｏｃｋセットの４番目のＳＳ Ｂｌｏｃｋ周期のＳＳ Ｂｌｏｃｋ＃１を利用して同期信号を測定する。このように、上記構成情報から、第１のＳＳ Ｂｌｏｃｋセットは、具体的には、図２ｈに示す。
【００４０】
また、前記第１の指示情報は、ｂｉｔｍａｐ形式で指示することができる。例えば、１の番目のＳＳ Ｂｌｏｃｋ周期は、第２のＳＳ Ｂｌｏｃｋセットの１の番目のＳＳ Ｂｌｏｃｋ周期のＳＳ Ｂｌｏｃｋ＃１を利用して同期信号を測定し、１の番目のＳＳ Ｂｌｏｃｋ周期のｂｉｔｍａｐは１０００であり、２の番目のＳＳ Ｂｌｏｃｋ周期は、第２のＳＳ Ｂｌｏｃｋセットの２番目のＳＳ Ｂｌｏｃｋ周期のＳＳ Ｂｌｏｃｋ＃２およびＳＳ Ｂｌｏｃｋ＃３を利用して用同期信号を測定し、２の番目のＳＳ Ｂｌｏｃｋ周期のｂｉｔｍａｐは０１１０であり、３の番目のＳＳ Ｂｌｏｃｋ周期は、第２のＳＳ Ｂｌｏｃｋセットの３番目のＳＳ Ｂｌｏｃｋ周期のＳＳ Ｂｌｏｃｋ＃４を利用して同期信号を測定、３の番目のＳＳ Ｂｌｏｃｋ周期のｂｉｔｍａｐは０００１であり、４番目の ＳＳ Ｂｌｏｃｋ周期は、第２のＳＳ Ｂｌｏｃｋセットの４番目のＳＳ Ｂｌｏｃｋ周期のＳＳ Ｂｌｏｃｋ＃１を利用して同期信号を測定し、４番目の ＳＳ Ｂｌｏｃｋ周期のｂｉｔｍａｐは１０００である。
【００４１】
ある実施例において、前記測定セットがＳＳ Ｂｌｏｃｋセットである場合、前記構成情報は、ＳＳ Ｂｌｏｃｋ内の信号の測定周期、時間オフセット、及び第２の指示情報のうちの少なくとも１つを含み、前記第２の指示情報は、前記ユーザーデバイスが各ＳＳ Ｂｌｏｃｋ周期に前記サブＳＳ Ｂｌｏｃｋセット内のＭ個の指定ＳＳ Ｂｌｏｃｋ内のＫ個の指定信号を利用して同期信号を測量するために用いられ、前記Ｍと前記Ｋは正の整数である。
【００４２】
具体的に、実際に接続状態でのモビリティ管理のための測定は、主にセルの信号強度を測定することを目的としている。この目的のために、ユーザーデバイスは、ＳＳＳのみ、またはＳＳＳおよびＰＢＣＨのみ、またはＳＳＳおよびＰＳＳのみ、またはＳＳＳおよびＰＢＣＨの一部のみ、またはＳＳＳおよびＰＳＳの一部のみ、またはＳＳＳ、ＰＳＳの一部およびＰＢＣＨの一部のみなどを測定すればよく。
【００４３】
例えば、構成情報が上記の条件１ )、条件２ )、条件３ )を含み、第２のＳＳ Ｂｌｏｃｋセットは、図２ｂに示すように、ＳＳ Ｂｌｏｃｋにおける信号の測定周期が２０ｍｓであり、前記時間シフト量は２つの隣接するＳＳ Ｂｌｏｃｋ周期の測定信号の時間シフト量であり、オフセットは１０ｍｓであり、１番目のＳＳ Ｂｌｏｃｋ周期は、第２のＳＳ Ｂｌｏｃｋセットの１番目のＳＳ Ｂｌｏｃｋ周期のＳＳ Ｂｌｏｃｋ ＃ １のＳＳＳ１及びＳＳ Ｂｌｏｃｋ ＃ ２のＳＳＳ２、ＰＢＣＨ２を用いて同期信号を測定し、２番目のＳＳ Ｂｌｏｃｋ周期は、第２のＳＳ Ｂｌｏｃｋセットの２番目のＳＳ Ｂｌｏｃｋ周期のＳＳ Ｂｌｏｃｋ ＃ ３のＳＳＳ３、ＰＢＣＨ２及びＳＳ Ｂｌｏｃｋ ＃ ４のＳＳＳ４、ＰＢＣＨ４を用いて同期信号を測定し、３番目のＳＳ Ｂｌｏｃｋ周期は、第２のＳＳ Ｂｌｏｃｋセットの３番目のＳＳ Ｂｌｏｃｋ周期のＳＳ Ｂｌｏｃｋ ＃ １のＳＳＳ１及びＳＳ Ｂｌｏｃｋ ＃ ２のＳＳＳ２、ＰＢＣＨ２を用いて同期信号を測定し、これを繰り返す。以上のように、上記配置情報から、第１のＳＳ Ｂｌｏｃｋ集合は、具体的には図２ｉに示す通りである。
【００４４】
また、前記第２の指示情報は、ｂｉｔｍａｐで示すことができる。
【００４５】
ある実施例において、前記構成情報は第３の指示情報をさらに含み、前記第３の指示情報は、前記ユーザーデバイスがＷ個の指定セルに対して同期信号を測定するように指定し、前記指定セルは第１のセル及び／又は第２のセルを含み、前記第１のセルは前記ユーザーデバイスがあるセルであり、前記第２のセルは非前記ユーザーデバイスがあるセルであり、前記Ｗは正の整数である。
【００４６】
具体的には、第３の指示情報は、ユーザーデバイスは、ユーザーデバイスが位置するセルに対して同期信号を測定するか、又は、非ユーザーデバイスが位置するセルに対して同期信号を測定するか、又は、ユーザーデバイスが位置するセルに対して同期信号を測定する及び非ユーザーデバイスが位置するセルに対して同期信号を測定するか等を示すために使用される。第３の表示情報は、ユーザーデバイスは、ユーザーデバイスが位置するセルに対して同期信号を測定する及び非ユーザーデバイスが位置するセルに対して同期信号を測定する両方であることを示すことが想定され、ここで、非ユーザーデバイスが位置するセルに測定する同期信号の数は、１つであってもよいし、複数であってもよく、本開示は限定しない。
【００４７】
ある実施例において、前記指定セルは前記第２のセルを含む場合、前記構成情報は、１）前記第２のセルのセルＩＤ、２）前記第２のセルのＳＳ Ｂｌｏｃｋがある周波数位置、３）前記第２のセルと前記第１のセルとの時間オフセット、４）前記第２のセルのＳＳ Ｂｌｏｃｋの周期、５）前記第２のセルのＳＳ Ｂｌｏｃｋの構成情報のうちの少なくとも１つを含む。
【００４８】
さらに、前記第２セルの数がＲ( Ｒは１より大きい整数)である場合、前記構成情報は、Ｒ個の第２セルと前記第１セルの時間オフセットを含み、各オフセットは互いに異なる。
【００４９】
具体的には、ユーザーデバイスが第１のセル及び第２のセルを同時に測定すると仮定し、構成情報は、この第２のセルと第１のセルとの時間オフセットを含み、すなわち、ユーザーデバイスが位置するセルの同期信号と他のセルの同期信号とを同時に測定する場合、時間オフセットによって２つのセルの時間を分け、測定効率を迅速に向上させることができる。また、ネットワークデバイスは、構成情報によって、第２のセルのＳＳ Ｂｌｏｃｋの構造情報をユーザーデバイスに通知することにより、測定効率を向上させることができる。
【００５０】
ある実施例において、前記信号セットは、前記ネットワークデバイスが接続状態でのユーザーデバイスに送信する、同期信号を測定するための信号セットである。
【００５１】
さらに、前記測定セットが前記信号セットである場合、ステップステップＳ２０１の前に、ネットワークデバイスは、この信号セット内の信号を先に送信する。
【００５２】
ある実施例において、前記測定セットは信号セットである場合、前記構成情報は、前記信号セットの構成、前記信号セット内の信号が使用するリソース、指定セルの構成情報のうちの少なくとも１つを含み、前記リソースは、時間リソース、周波数リソース、コードドメインリソースのうちの少なくとも１つを含み、前記指定セルは第１のセル及び／又は第２のセルを含み、前記第１のセルは前記ユーザーデバイスがあるセルであり、前記第２のセルは非前記ユーザーデバイスがあるセルである。
【００５３】
さらに、第２のセルに数は１つ以上であり、本願はこれを限定しない。
【００５４】
具体的に、信号セットの構成は、信号セットがどの信号からなるか、図２ｅ及び図２ｆを参照する。基本の構成情報は、セルのキャリア周波数幅、共通制御チャネル情報等である。
【００５５】
ある実施例において、前記信号セットは第１の信号及び第２の信号を含み、前記第１の信号と前記第２の信号とは、前記信号セット内の任意の２つの信号であり、前記第１の信号及び前記第２の信号は、異なるセルからの信号である場合、前記第１の信号に対応するリソースと前記第２の信号に対応するリソースとが異なり、前記リソースは、時間リソース、周波数リソース、コードドメインリソースのうちの少なくとも１つを含む。つまり、前記信号セット内の任意の２つの信号が異なるセルからのものである場合、異なるセルの信号の互い干渉を回避するために、前記信号セットの異なるセルの信号に対応するリソース対して相違して構成し、図２ｅ及び図２ｆを参照する。
【００５６】
ある実施例において、前記ＳＳ Ｂｌｏｃｋ内の一部の信号は、ＳＳＳ、ＰＳＳ、物理放送チャンネル（ＰＢＣＨ）のうちの少なくとも１つを含む。
【００５７】
ステップＳ２０３において、前記ユーザーデバイスは、前記構成情報を受信し、接続状態にある場合に前記測定セットを利用して同期信号を測定する。
【００５８】
従来の技術案では、ユーザーデバイスがアイドル状態にある測定メカニズムは、通常、アイドル状態で初期アクセスする時に、ユーザーデバイスが全てのＳＳ Ｂｌｏｃｋを検索する。ユーザーデバイスが接続状態にある場合、ユーザーデバイスがアイドル状態にある場合の測定メカニズムを流用し、端末リソースの不必要な浪費を引き起こす可能性がある。そして、ユーザーデバイスが接続状態にある測定メカニズムは、ネットワークデバイスからユーザーデバイスに構成情報を構成し、この構成情報をユーザーデバイスに送信して、ネットワークデバイスにより構成された構成情報に基づいて同期信号を測定し、上記の方法よりも柔軟性を有する。さらに、ユーザーデバイスの測定メカニズムは、基づいて同期信号を測定し、測定セットは第１のＳＳ Ｂｌｏｃｋセットであり、第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、第２のＳＳ Ｂｌｏｃｋセットは、ユーザーデバイスのアイドル状態で同期信号の測定に使用する全てのＳＳ Ｂｌｏｃｋを含み、上記の方法よりも、本願の技術案の測定時間が短くなり、ユーザーデバイスの同期信号の測定性能を改善することができる。また、測定セットは信号セットであり、信号セットは、Ｙ個のＳＳ Ｂｌｏｃｋ内の一部の信号を含み、上記の方法よりも、本願の技術案の測定時間が短くなり、ユーザーデバイスの同期信号の測定性能を改善することができる。
【００５９】
なお、図２ｂ〜図２ｉは、本願の模式図であるが、これに限定されない。
【００６０】
本願の実施例は、またネットワークデバイス３００を提供し、図３に示すように、処理モジュール３０１及び送信モジュール３０２を含む。
【００６１】
処理モジュール３０１は、構成情報を生成するように構成される。
【００６２】
送信モジュール３０２は、ユーザーデバイスに前記構成情報を送信するように構成され、前記構成情報は、前記ユーザーデバイスが測定セットを利用して同期信号を測定するように指示し、ここで、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数である。
【００６３】
ある実施例において、前記第２のＳＳ Ｂｌｏｃｋセットは、ユーザーデバイスがアイドル状態で初期アクセスを行う時のＳＳ Ｂｌｏｃｋセットであり、前記第２のＳＳ Ｂｌｏｃｋセットは、前記第１のＳＳ Ｂｌｏｃｋセットを含む。
【００６４】
ある実施例において、前記信号セットは、前記ネットワークデバイスが接続状態でのユーザーデバイスに送信する、同期信号を測定するための信号セットである。
【００６５】
ある実施例において、前記測定セットが前記第１のＳＳ Ｂｌｏｃｋセットである場合、前記構成情報は、ＳＳ Ｂｌｏｃｋの測定周期、時間オフセット、及び第１の指示情報のうちの少なくとも１つを含み、前記第１の指示情報は、前記ユーザーデバイスが各ＳＳ Ｂｌｏｃｋ周期において前記第２のＳＳ Ｂｌｏｃｋセット内のＮ個の指定ＳＳ Ｂｌｏｃｋを利用して同期信号を測定するように指示し、前記Ｎは正の整数である。
【００６６】
ある実施例において、前記測定セットがＳＳ Ｂｌｏｃｋセットである場合、前記構成情報は、ＳＳ Ｂｌｏｃｋ内の信号の測定周期、時間オフセット、及び第２の指示情報のうちの少なくとも１つを含み、前記第２の指示情報は、前記ユーザーデバイスが各ＳＳ Ｂｌｏｃｋ周期において前記第２のＳＳ Ｂｌｏｃｋセット内のＭ個の指定ＳＳ Ｂｌｏｃｋ内のＫ個の指定信号を利用して同期信号を測定するために用いられ、前記Ｍと前記Ｋは正の整数である。
【００６７】
ある実施例において、前記構成情報は第３の指示情報をさらに含み、前記第３の指示情報は、前記ユーザーデバイスがＷ個の指定セルに対して同期信号を測定するように指定し、前記指定セルは第１のセル及び／又は第２のセルを含み、前記第１のセルは前記ユーザーデバイスがあるセルであり、前記第２のセルは非前記ユーザーデバイスがあるセルであり、前記Ｗは正の整数である。
【００６８】
ある実施例において、前記指定セルは前記第２のセルを含む場合、前記構成情報は、さらに、前記第２のセルのセルＩＤ、前記第２のセルのＳＳ Ｂｌｏｃｋの所在の周波数位置、前記第２のセルと前記第１のセルとの時間オフセット、前記第２のセルのＳＳ Ｂｌｏｃｋの周期、前記第２のセルのＳＳ Ｂｌｏｃｋの構成情報のうちの少なくとも１つを含む。
【００６９】
ある実施例において、前記測定セットは信号セットである場合、前記構成情報は、前記信号セットの構成、前記信号セット内の信号が使用するリソース、指定セルの構成情報のうちの少なくとも１つを含み、前記リソースは、時間リソース、周波数リソース、コードドメインリソースのうちの少なくとも１つを含み、前記指定セルは第１のセル及び／又は第２のセルを含み、前記第１のセルは前記ユーザーデバイスがあるセルであり、前記第２のセルは非前記ユーザーデバイスがあるセルである。
【００７０】
ある実施例において、前記信号セットは第１の信号及び第２の信号を含み、前記第１の信号と前記第２の信号とは、前記信号セット内の任意の２つの信号であり、前記第１の信号及び前記第２の信号は、異なるセルからの信号である場合、前記第１の信号に対応するリソースと前記第２の信号に対応するリソースとが異なり、前記リソースは、時間リソース、周波数リソース、コードドメインリソースのうちの少なくとも１つを含む。
【００７１】
ある実施例において、前記ＳＳ Ｂｌｏｃｋ内の一部の信号は、サブ同期信号（ＳＳＳ）、主同期信号（ＰＳＳ）、物理放送チャンネル（ＰＢＣＨ）のうちの少なくとも１つを含む。
【００７２】
なお、上記のモジュール（処理モジュール３０１及び送信モジュール３０２）は、上記の方法のステップを実行する。
【００７３】
本実施例において、ネットワークデバイス３００は、モジュールの形態で提示される。本明細書において「モジュール」は、特定のアプリケーション集積回路( ＡＳＩＣ )、１つ以上のソフトウェア又はファームウェアのプログラムを実行するプロセッサ及びメモリ、集積論理回路、及び/又は上述の機能を提供することができる他のデバイスを指すことができる。また、上記処理モジュール３０１は、図５に示すネットワークデバイスのプロセッサ５０１によって実現され、送信モジュール３０２は、図５に示すネットワークデバイスの送受信機５０３によって実現されてもよい。
【００７４】
本願の実施例は、また、ユーザーデバイス４００を提供し、図４に示すように、受信モジュール４０１及び処理モジュール４０２を含む。
【００７５】
受信モジュール４０１は、ネットワークデバイスにより送信された構成情報を受信するように構成され、前記構成情報は、前記ユーザーデバイスが測定セットを利用して同期信号を測定するように指示し、ここで、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数である。
【００７６】
処理モジュール４０２は、前記ユーザーデバイスが接続状態にある場合、前記測定セットを利用して同期信号を測定するように構成される。
【００７７】
ある実施例において、前記第２のＳＳ Ｂｌｏｃｋセットは、ユーザーデバイスがアイドル状態で初期アクセスを行う時のＳＳ Ｂｌｏｃｋセットであり、前記第２のＳＳ Ｂｌｏｃｋセットは、前記第１のＳＳ Ｂｌｏｃｋセットを含む。
【００７８】
ある実施例において、前記信号セットは、前記ネットワークデバイスが接続状態でのユーザーデバイスに送信する、同期信号を測定するための信号セットである。
【００７９】
ある実施例において、前記測定セットが前記第１のＳＳ Ｂｌｏｃｋセットである場合、前記構成情報は、ＳＳ Ｂｌｏｃｋの測定周期、時間オフセット、及び第１の指示情報のうちの少なくとも１つを含み、前記第１の指示情報は、前記ユーザーデバイスが各ＳＳ Ｂｌｏｃｋ周期において前記第２のＳＳ Ｂｌｏｃｋセット内のＮ個の指定ＳＳ Ｂｌｏｃｋを利用して同期信号を測定するように指示し、前記Ｎは正の整数である。
【００８０】
ある実施例において、前記測定セットがＳＳ Ｂｌｏｃｋセットである場合、前記構成情報は、ＳＳ Ｂｌｏｃｋ内の信号の測定周期、時間オフセット、及び第２の指示情報のうちの少なくとも１つを含み、前記第２の指示情報は、前記ユーザーデバイスが各ＳＳ Ｂｌｏｃｋ周期において前記第２のＳＳ Ｂｌｏｃｋセット内のＭ個の指定ＳＳ Ｂｌｏｃｋ内のＫ個の指定信号を利用して同期信号を測定するために用いられ、前記Ｍと前記Ｋは正の整数である。
【００８１】
ある実施例において、前記構成情報は第３の指示情報をさらに含み、前記第３の指示情報は、前記ユーザーデバイスがＷ個の指定セルに対して同期信号を測定するように指定し、前記指定セルは第１のセル及び／又は第２のセルを含み、前記第１のセルは前記ユーザーデバイスがあるセルであり、前記第２のセルは非前記ユーザーデバイスがあるセルであり、前記Ｗは正の整数である。
【００８２】
ある実施例において、前記指定セルは前記第２のセルを含む場合、前記構成情報は、さらに、前記第２のセルのセルＩＤ、前記第２のセルのＳＳ Ｂｌｏｃｋの所在の周波数位置、前記第２のセルと前記第１のセルとの時間オフセット、前記第２のセルのＳＳ Ｂｌｏｃｋの周期、前記第２のセルのＳＳ Ｂｌｏｃｋの構成情報のうちの少なくとも１つを含む。
【００８３】
ある実施例において、前記測定セットは信号セットである場合、前記構成情報は、前記信号セットの構成、前記信号セット内の信号が使用するリソース、指定セルの構成情報のうちの少なくとも１つを含み、前記リソースは、時間リソース、周波数リソース、コードドメインリソースのうちの少なくとも１つを含み、前記指定セルは第１のセル及び／又は第２のセルを含み、前記第１のセルは前記ユーザーデバイスがあるセルであり、前記第２のセルは非前記ユーザーデバイスがあるセルである。
【００８４】
ある実施例において、前記信号セットは第１の信号及び第２の信号を含み、前記第１の信号と前記第２の信号とは、前記信号セット内の任意の２つの信号であり、前記第１の信号及び前記第２の信号は、異なるセルからの信号である場合、前記第１の信号に対応するリソースと前記第２の信号に対応するリソースとが異なり、前記リソースは、時間リソース、周波数リソース、コードドメインリソースのうちの少なくとも１つを含む。
【００８５】
ある実施例において、前記ＳＳ Ｂｌｏｃｋの一部の信号は、サブ同期信号（ＳＳＳ）、主同期信号（ＰＳＳ）、物理放送チャンネル（ＰＢＣＨ）のうちの少なくとも１つを含む。
【００８６】
なお、上記モジュール（受信モジュール４０１及び処理モジュール４０２）は、上記の方法のステップを実行する。
【００８７】
本実施例において、ユーザーデバイス４００は、モジュールの形態で提示される。本明細書において「モジュール」は、特定のアプリケーション集積回路( ＡＳＩＣ )、１つ以上のソフトウェア又はファームウェアのプログラムを実行するプロセッサ及びメモリ、集積論理回路、及び/又は上述の機能を提供することができる他のデバイスを指すことができる。また、上記処理モジュール４０２は、図６に示すユーザーデバイス４００のプロセッサ６０１によって実現され、受信モジュール４０１は、図６に示すユーザーデバイス４００の送受信機６０３によって実現されてもよい。
【００８８】
図５に示すように、ネットワークデバイス５００は、図５の構成で実現されてもよく、少なくとも１つのプロセッサ５０１、少なくとも１つのメモリ５０２、及び少なくとも１つの送受信機５０３を含む。プロセッサ５０１は、通信バスを介してメモリ５０２および送受信機５０３と接続され、相互間の通信を行う。
【００８９】
プロセッサ５０１は、汎用中央処理装置( ＣＰＵ )、マイクロプロセッサ、特定用途向け集積回路( ＡＳＩＣ )、または上記のプロトコールの実行を制御するための１つ以上の集積回路であってもよい。
【００９０】
送受信機５０３は、イーサネット(登録商標)、無線アクセスネットワーク( ＲＡＮ )、無線ローカルエリアネットワーク( Ｗｉｒｅｌｅｓｓ Ｌｏｃａｌ Ａｒｅａ Ｎｅｔｗｏｒｋｓ：ＷＬＡＮ )などの他のデバイスまたは通信ネットワークと通信するために使用される。
【００９１】
メモリ５０２は、読み出し専用メモリ( ｒｅａｄ−ｏｎｌｙ ｍｅｍｏｒｙ：ＲＯＭ )若しくは静的情報及び命令を記憶し得る他の種類の静的記憶装置、ランダムアクセスメモリ( ｒａｎｄｏｍ ａｃｃｅｓｓ ｍｅｍｏｒｙ：ＲＡＭ )若しくは情報及び命令を記憶し得る他の種類の動的記憶装置、又は電気的消去可能プログラマブル読み出し専用メモリ( Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ、ＥＥＰＲＯＭ )、読み出し専用メモリ( Ｃｏｍｐａｃｔ Ｄｉｓｃ Ｒｅａｄ−Ｏｎｌｙ Ｍｅｍｏｒｙ：ＣＤ−ＲＯＭ )若しくは他の光ディスクストレージ、光ディスクストレージ(コンパクトディスク、レーザーディスク、光ディスク、デジタル多用途ディスク、ブルーレイディスク等を含む)、磁気ディスクストレージ媒体若しくは他の磁気ストレージデバイス、又は命令若しくはデータ構造の形態の所望のプログラムコードを搬送若しくは記憶するために使用され得、コンピュータによってアクセスされ得る任意の他の媒体であってもよいが、それらに限定されるものではない。メモリは、独立して存在してもよく、バスを介してプロセッサに接続される。メモリは、プロセッサと一体化されてもよい。
【００９２】
ここで、前記メモリ５０２は、上記スキームを実行するアプリケーションコードを格納するためのものであり、プロセッサ５０１によって実行が制御される。プロセッサ５０１は、メモリ５０２に記憶されたアプリケーションコードを実行する。
【００９３】
メモリ５０２に記憶されたコードは、上記ネットワークデバイスが実行する同期信号の測定方法を実行し、例えば、構成情報を生成し、ユーザーデバイスに前記構成情報を送信し、前記構成情報は、前記ユーザーデバイスが測定セットを利用して同期信号を測定するように指示し、ここで、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数である。
【００９４】
図６に示すように、ユーザーデバイス６００は、図６の構成で実現されてもよく、少なくとも１つのプロセッサ６０１、少なくとも１つのメモリ６０２、及び少なくとも１つの送受信機６０３を含む。プロセッサ６０１は、通信バスを介してメモリ６０２および送受信機６０３と接続され、相互間の通信を行う。
【００９５】
プロセッサ６０１は、汎用中央処理装置( ＣＰＵ )、マイクロプロセッサ、特定用途向け集積回路( ＡＳＩＣ )、または上記のプロトコールの実行を制御するための１つ以上の集積回路であってもよい。
【００９６】
送受信機６０３は、イーサネット(登録商標)、無線アクセスネットワーク( ＲＡＮ )、無線ローカルエリアネットワーク( Ｗｉｒｅｌｅｓｓ Ｌｏｃａｌ Ａｒｅａ Ｎｅｔｗｏｒｋｓ)などの他のデバイスまたは通信ネットワークと通信するために使用される。
【００９７】
メモリ６０２は、読み出し専用メモリ( ｒｅａｄ−ｏｎｌｙ ｍｅｍｏｒｙ)若しくは静的情報及び命令を記憶し得る他の種類の静的記憶装置、ランダムアクセスメモリ( ｒａｎｄｏｍ ａｃｃｅｓｓ ｍｅｍｏｒｙ )若しくは情報及び命令を記憶し得る他の種類の動的記憶装置、又は電気的消去可能プログラマブル読み出し専用メモリ( Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒy：ＥＥＰＲＯＭ )、読み出し専用メモリ( Ｃｏｍｐａｃｔ Ｄｉｓｃ Ｒｅａｄ−Ｏｎｌｙ Ｍｅｍｏｒｙ：ＣＤ−ＲＯＭ )若しくは他の光ディスクストレージ、光ディスクストレージ(コンパクトディスク、レーザーディスク、光ディスク、デジタル多用途ディスク、ブルーレイディスク等を含む)、磁気ディスクストレージ媒体若しくは他の磁気ストレージデバイス、又は命令若しくはデータ構造の形態の所望のプログラムコードを搬送若しくは記憶するために使用され得、コンピュータによってアクセスされ得る任意の他の媒体であってもよいが、それらに限定されるものではない。メモリは、独立して存在してもよく、バスを介してプロセッサに接続される。メモリは、プロセッサと一体化されてもよい。
【００９８】
ここで、前記メモリ６０２は、上記スキームを実行するアプリケーションコードを格納するためのものであり、プロセッサ６０１によって実行が制御される。プロセッサ６０１は、メモリ６０２に記憶されたアプリケーションコードを実行する。
【００９９】
メモリ６０２に記憶されたコードは、上記のユーザーデバイスが実行する同期信号の測定方法を実行し、例えば、ネットワークデバイスにより送信された構成情報を受信し、前記構成情報は、前記ユーザーデバイスが測定セットを利用して同期信号を測定するように指示し、ここで、前記構成情報は、前記ユーザーデバイスが測定セットを利用して同期信号を測定するように指示し、ここで、前記測定セットは、接続状態にあるユーザーデバイスが同期信号を測定するために用いられ、前記測定セットは第１のＳＳ Ｂｌｏｃｋセットであり、前記第１のＳＳ Ｂｌｏｃｋセットに含まれるＳＳ Ｂｌｏｃｋの数は、第２のＳＳ Ｂｌｏｃｋセットに含まれるＳＳ Ｂｌｏｃｋの数より少なく、前記第２のＳＳ Ｂｌｏｃｋセットは、ユーザーデバイスがアイドル状態で同期信号を測定する時に使用するＳＳ Ｂｌｏｃｋを含むセット、又は、前記測定セットは信号セットであり、前記信号セットはＹ個のＳＳ Ｂｌｏｃｋ内の一部の信号を含み、前記Ｙは正の整数であり、前記ユーザーデバイスが接続状態にある場合、前記測定セットを利用して同期信号を測定する。
【０１００】
本願の実施例は通信システムを提供し、図３に示すネットワークデバイス３００及び図４に示すユーザーデバイス４００を含み、又は、図５に示すネットワークデバイス５００及び図６に示すユーザーデバイス６００を含む。
【０１０１】
本願の実施例は、コンピューター記憶媒体を提供し、当該コンピューター記憶媒体はプログラムを記憶し、当該プログラム上記の方法の実施例に記載の同期信号の測定方法の一部または全てのステップを実行する。
【０１０２】
本願の実施例は、コンピューター記憶媒体を提供し、当該コンピューター記憶媒体はプログラムを記憶し、当該プログラム上記の方法の実施例に記載の同期信号の測定方法の一部または全てのステップを実行する。
【０１０３】
なお、前述の各方法の実施例は、説明を簡単にするために、一連の動作の組み合わせとして記述したが、当業者であれば、本願が記述された動作の順序に限定されるものではなく、本願に依拠して、あるステップが他の順序で、または同時に行われてもよいため、本発明は、そのような記述の順序に限定されるものではないことを理解するであろう。次に、当業者は、本明細書に記載された実施例が全て好ましい実施例に属し、言及された動作及びモジュールが必ずしも本願に必須ではないことを理解するであろう。
【０１０４】
上記実施例では、各実施例についての説明を中心に説明したが、本発明は、上記実施例に限定されるものではなく、本発明の技術的思想を逸脱しない範囲内で種々の変更が可能である。
【０１０５】
本明細書で提供されるいくつかの実施例では、開示される装置は、他の方法で実現されてもよいことが理解されるべきである。例えば、上記の装置の実施例は、単に例示的なものであり、例えば、説明されたユニットの分割、１つの論理的機能の分割、実際の実装において、追加の分割があってもよく、例えば、複数のユニット又はコンポーネントが、組み合わされてもよいし、別のシステムに統合されてもよいし、又は、いくつかの特徴が省略されてもよいし、又は、実行されなくてもよい。別の点では、表示または議論される相互間の結合または直接的な結合または通信接続は、何らかのインターフェース、デバイスまたはユニットを介した間接的な結合または通信接続であってもよく、電気的または他の形態であってもよい。
【０１０６】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１０７】
また、本発明の各実施例における各機能部は、１つの処理部に集積されてもよいし、各部は、物理的に別個に存在してもよいし、２つ以上の部が１つの部に集積されてもよい。上記統合されたユニットは、ハードウェアの形態で実現されてもよいし、ソフトウェア機能ユニットの形態で実現されてもよい。
【０１０８】
また、一体型ユニットは、ソフトウェア機能ユニットとして実現され、スタンドアロン製品として販売又は使用される場合、コンピュータ読み取り可能なメモリに記憶され得る。このような理解に基づいて、本発明の技術的解決策の本質または従来技術に寄与する部分、またはその技術的解決策の全部または一部は、１つのメモリに記憶されたソフトウェア製品の形態で具現化されてもよく、そのコンピュータ製品は、パーソナルコンピュータ、サーバ、またはネットワークデバイスなどのコンピュータデバイスに本発明の様々な実施例に記載された方法のステップの全部または一部を実行させるための複数の命令を含む。また、前記メモリは、プログラムコードを記憶可能な媒体として、Ｕディスク、ＲＯＭ、ＲＡＭ、リムーバブルハードディスク、磁気ディスク、光ディスク等の種々の媒体を用いることができる。
【０１０９】
当業者であれば、上述の実施例の各方法の全部または一部のステップは、プログラムによってハードウェアを指示することができ、そのプログラムは、コンピュータ可読メモリに格納されてもよく、そのメモリは、フラッシュメモリ、Ｒｅａｄ−Ｏｎｌｙ Ｍｅｍｏｒｙ、ＲＯＭ、ＲＡＭ、磁気ディスク、光ディスクなどを含んでもよい。
【０１１０】
以上、本発明の実施例を詳細に紹介したが、本発明の原理及び実施例は、具体的な例を用いて本発明の原理及び実施例を説明したが、以上の実施例の説明は、本発明の方法及びその核心的な思想の理解を助けるためのものにすぎない；一方、当業者であれば、本発明の思想に基づいて、具体的な実施例及び適用範囲に変更が加えられることは勿論であるが、本発明の範囲は、以上で説明した内容に限定されるものではない。
【図１】
0006980805.tif 000002
【図２ａ】
0006980805.tif 000003
【図２ｂ】
0006980805.tif 000004
【図２ｃ】
0006980805.tif 000005
【図２ｄ】
0006980805.tif 000006
【図２ｅ】
0006980805.tif 000007
【図２ｆ】
0006980805.tif 000008
【図２ｇ】
0006980805.tif 000009
【図２ｈ】
0006980805.tif 000010
【図２ｉ】
0006980805.tif 000011
【図３】
0006980805.tif 000012
【図４】
0006980805.tif 000013
【図５】
0006980805.tif 000014
【図６】
0006980805.tif 000015